(57)【要約】      （修正有）【課題】短絡事故を防止する安全性の高い端子台を提供する。【解決手段】上下方向にオフセットして受電電線を接続する上段端子部と送電電線を接続する下段端子部に分けられ、上段端子部と下段端子部が左右方向にオフセットして設けられた端子体３ａ、３ｂ、３ｃが複数左右方向に並んで配置される端子台１を、複数の端子体の間に、上段端子部の極間を絶縁するための上段絶縁壁４１ａ、４１ｂと下段端子部の極間を絶縁するための下段絶縁壁４２ａ、４２ｂを設けて、下段絶縁壁を、左右方向の位置を上段端子部の電線固定部の左右方向と同じ位置に設定し、下段絶縁壁の高さを電線固定部と略同一の高さに設定し、下段絶縁壁の上面を上段端子部に固定する受電電線の支持部として構成した。【選択図】図１
2015069939.tif 000002
【特許請求の範囲】
【請求項１】
上下方向にオフセットして受電電線を接続する上段端子部と送電電線を接続する下段端子部に分けられ、前記上段端子部と前記下段端子部が左右方向にオフセットして設けられた端子体が複数左右方向に並んで配置される端子台であって、
前記複数の端子体の間には、前記上段端子部の極間を絶縁するための上段絶縁壁と前記下段端子部の極間を絶縁するための下段絶縁壁が設けられ、
該下段絶縁壁は、左右方向の位置を前記上段端子部の電線固定部の左右方向と同じ位置に設定し、下段絶縁壁の高さを前記電線固定部と略同一の高さに設定し、該下段絶縁壁の上面を前記上段端子部に固定する受電電線の支持部として構成したことを特徴とする端子台。
【請求項２】
前記下段絶縁壁の支持部に、受電電線の位置を安定させる凹部を設けたことを特徴とする請求項１記載の端子台。
【請求項３】
前記下段絶縁壁に、端子台を被取付体に取り付けるための取付部を設けたことを特徴とする請求項１記載の端子台。
【請求項４】
前前記取付部は、端子台取付後に、金属製の取付部材が下段絶縁壁上面より突出しないよう凹状に設けられ、該金属製の取付部材と下段絶縁壁上面の間に空間部を設定したことを特徴とする請求項３記載の端子台。
【発明の詳細な説明】
【技術分野】
【０００１】
本発明は、分電盤等で用いられる電線を接続する端子台に関する。
【背景技術】
【０００２】
分電盤等において、電力量計の二次側から供給される電力を負荷回路に分配する形態として、主幹ブレーカを介して各分岐ブレーカへ電力を分配する第一の系統と、主幹ブレーカを介さずに、特定の負荷回路へ直接電力を供給する第二の系統（一次送り系統）との二つの系統に分配する形態がある。これら第一の系統と第二の系統とに電力を分配する分岐手段としては、分電盤内に端子台を用いることが多い。
【０００３】
このような場合において、一つの端子部に一つの電線を対応付けて配線する一般的な端子台を利用した場合、送電側が二つに分配されるため、一つの端子部に二つの電線を接続して、一次送り配線を行うことになる。この様な配線方法では、一つの端子部に一つの電線を対応付けて配線する場合に比べて、ネジやボルトによる締付けの作業性が悪くなる。また、締付けが不十分であった場合には締付けたネジが緩みやすくなり、経年的に端子部の異常過熱を引き起こす恐れが推測される。
【０００４】
そこで、第一の系統と第二の系統とに電力を分配する端子台として、特許文献１に記載の端子台が開示されている。特許文献１記載の端子台１は、電線を接続する端子部を上下に分けて、上側の端子部を、入線用電線２ａを接続する入線用端子部５ａとして設けた構成としている。また、下側の端子部を、送り用電線２ｂを接続する送り用端子部５ｂとして設けた。これにより、１つの端子部に１本の電線を接続することができるため、一次送り配線を行う場合でも電線ごとに各端子への確実な接続が可能で、作業性が良く、また、締付けが緩みやすくなるという問題も改善されている。
【０００５】
さらに、この端子台１では入線用端子部５ａと送り用端子部５ｂとを左右方向にオフセットして設けており、施工後においても、下側の送り用端子部５ｂが接続した電線によって隠れることがなく、点検時の増締め作業等も容易に行うことができる。
【先行技術文献】
【特許文献】
【０００６】
【特許文献１】特開２００３−６８３７９号公報
【発明の開示】
【発明が解決しようとする課題】
【０００７】
しかし、特許文献１に開示される端子台においては、入線用端子部５ａと送り用端子部５ｂを左右方向にオフセットして設けたことにより、三つある入線用端子部５ａ、送り用端子部５ｂのうち、中極の入線用端子部５ａと左極の送り用端子部５ｂなど、異極の端子間において、左右方向の導体の位置が近接するため、施工時に電線の入線方向が左右方向に曲がった方向で取り付けた場合や、施工後に電線に外力が加わって左右方向にずれた場合等に、異極間の電線が接触して、短絡事故を招く危険性がある。
【０００８】
そこで、本発明は、上記の課題を解決するためになされたもので、短絡事故を防止する安全性の高い端子台を提供することを目的としたものである。
【課題を解決するための手段】
【０００９】
本発明に係る端子台は、上述の課題を解決すべく構成されたもので、第１の発明は、上下方向にオフセットして受電電線を接続する上段端子部と送電電線を接続する下段端子部に分けられ、前記上段端子部と前記下段端子部が左右方向にオフセットして設けられた端子体が複数左右方向に並んで配置される端子台であって、前記複数の端子体の間には、前記上段端子部の極間を絶縁するための上段絶縁壁と前記下段端子部の極間を絶縁するための下段絶縁壁が設けられ、該下段絶縁壁は、左右方向の位置を前記上段端子部の電線固定部の左右方向と同じ位置に設定し、下段絶縁壁の高さを前記電線固定部と略同一の高さに設定し、該下段絶縁壁の上面を前記上段端子部に固定する受電電線の支持部として構成したことを特徴とするものである。
【００１０】
かかる構成によれば、下段絶縁壁の上面が、上段端子部に固定される受電電線の支持部として構成されているため、該受電電線は下段端子部の方向へ曲がることがない。よって、受電電線の直下の下段端子部に接続する送電電線が異極である場合でも、その異極間の電線の接触が防止されることになる。従って、短絡事故を防ぐことが可能となる。
【００１１】
第２の発明は、前記第１の発明において、前記下段絶縁壁の支持部に、受電電線の位置を安定させる凹部を設けたことを特徴とするものである。
【００１２】
かかる構成によれば、凹部で受電電線を受けることで、下段絶縁壁が該受電電線の台座のような役割を果たし、電線の左右方向へのズレを抑制することが可能となる。従って、下段絶縁壁の支持部の機能がより確実なものとなる。
【００１３】
第３の発明は、前記第１の発明において、前記下段絶縁壁に、端子台を被取付体に取り付けるための取付部を設けたことを特徴とするものである。
【００１４】
かかる構成によれば、取付部を下段絶縁壁に設けることで、取付部の幅を下段絶縁壁と共用できる。こうすることで、絶縁壁の左右方向の幅を有効に利用することができ、取付部を別途端子台の外周部に設置することなく端子台を構成することができる。
【００１５】
第４の発明は、前記第３の発明において、前記取付部は、端子台取付後に、金属製の取付部材が下段絶縁壁上面より突出しないよう凹状に設けられ、該金属製の取付部材と下段絶縁壁上面の間に空間部を設定したことを特徴とするものである。
【００１６】
かかる構成によれば、取付部が下段絶縁壁にあっても、端子台の取付後の電線の導電部と金属製の取付部材との接触を防止でき、かつ、空間部により絶縁距離を確保できるから、安全なものとなる。
【発明の効果】
【００１７】
以上の如く、本発明によれば、絶縁壁上面が送り用電線の支持部の役割を果たすため、短絡事故を防止する安全性の高い端子台を提供することができる。
【図面の簡単な説明】
【００１８】
【図１】端子台の斜視図
【図２】端子体の斜視図
【図３】端子台の正面図
【図４】図２のＡＡ断面図
【図５】図２のＢＢ断面図
【図６】住宅用分電盤に端子台を取り付けた状態を示す図
【発明を実施するための形態】
【００１９】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２０】
本発明における端子台１Ｔは、主に、一般家庭の住宅用分電盤１３において、電力量計の二次側から供給される電力を、主幹ブレーカを介して各分岐ブレーカへ電力を分配する第一の系統と、主幹ブレーカを介さずに、特定の負荷回路へ直接電力を供給する第二の系統との二つの系統に分配する端子として用いられる。より具体的には、柱上トランスから給電される電源を、主幹ブレーカ１４及びその配下の系統と、時間帯別電灯契約用ブレーカの系統との、二系統に分配配線するために設置する。
【００２１】
端子台１Ｔは、図６に示すように、端子台取付具１２に取り付けた状態で住宅用分電盤１３に組み込み使用する。
【００２２】
（端子台の構成）
本発明における端子台１Ｔは、図１に示すように、端子台ベース２、左極端子体３ａ、中極端子体３ｂ、右極端子体３ｃ、ブレーカ上側接続部６ａ、ブレーカ下側接続部６ｂ、二次側絶縁壁７から構成される。
【００２３】
端子台ベース２は、左−中極上段絶縁壁４１ａ、中−右極上段絶縁壁４１ｂ、左−中極下段絶縁壁４２ａ、中−右極下段絶縁壁４２ｂ、周縁部に左側外壁４３ａ、右側外壁４３ｂを設けており、下段絶縁壁４２ａ、４２ｂには凹状に取付部５をそれぞれ有する。また、下段絶縁壁４２ａ、４２ｂの上面４２ａ１、４２ｂ１には凹部４２ａ、４２ｂ２を設けている。
【００２４】
左極端子体３ａは、図２に示すように、電線を接続するための上段端子部３１ａと下段端子部３２ａとを上下方向にオフセットして設け、その間を端子接続部３３ａにより接続している。また、上段端子部３１ａ及び下段端子部３２ａは、左右方向にオフセットして形成している。上段端子部３１ａの中央部には受電電線８１ａの固定部たる上段固定孔３１１ａを有し、下段端子部３２ａの中央部には送電電線８２ａの固定部たる下段固定孔３２１ａを有している。
【００２５】
中極端子体３ｂ及び右極端子体３ｃは、左極端子体３ａと同一の形状であり、それぞれ左極端子体３ａと同様に上段端子部３１ｂ及び３１ｃ、下段端子部３２ｂ及び３２ｃ、端子接続部３３ｂ及び３３ｃ、上段固定孔３１１ｂ及び３１１ｃ、下段固定孔３２１ｂ及び３２１ｃを有している。
【００２６】
左−中極下段絶縁壁４２ａは、その左右方向の位置を、中極上段端子部３１ｂの中央部に設けられた上段固定孔３１１ｂの左右方向の位置と略同じに設定している。また、左−中極下段絶縁壁４２ａの上面４２ａ１の高さは、中極上段端子部３１ｂと略同一高さに設定している。
【００２７】
中−右極下段絶縁壁４２ｂの左右方向の位置も、左−中極下段絶縁壁４２ａと同様に、右極上段端子部３１ｃの中央部に設けられた上段固定孔３１１ｃの左右方向の位置と略同じに設定し、また、中−右極下段絶縁壁４２ｂの上面４２ｂ１の高さは、右極上段端子部３１ｃと略同一高さに設定している。
【００２８】
ブレーカ上側接続部６ａは、左極上段端子部３１ａと共に、端子ネジ１０により螺着固定する。また、ブレーカ下側接続部６ｂは、右極上段端子部３１ｃと共に、端子ネジ１０により螺着固定する。ブレーカ上側接続部６ａ及びブレーカ下側接続部６ｂは、このようにして、端子台１Ｔの二次側に分岐ブレーカを電気的に接続するために設ける。
【００２９】
二次側絶縁壁７は、ブレーカ上側接続部６ａと、該ブレーカ上側接続部６ａとは異極となる中極受電電線８１ｂ及び右極受電電線８１ｃとを絶縁するために端子台ベース２に取り付けられる。
【００３０】
（端子台の取付作業）
端子台１Ｔの使用者は、まず、端子台取付具１２の所定位置に端子台１Ｔを仮置きしたうえ、端子台１Ｔの取付部５に金属製の取付部材として取付ネジ１１を挿入し、端子台１Ｔを端子台取付具１２に螺着固定する。そして、端子台取付具１２を住宅用分電盤１３に取り付ける。
【００３１】
（電線の接続作業）
下段端子部３２ａ、３２ｂ、３２ｃに、送電電線８２ａ、８２ｂ、８２ｃの一方側を端子ネジ１０によりそれぞれ螺着固定する。送電電線８２ａ、８２ｂ、８２ｃの他方側は、図６に示すように、主幹ブレーカ１４に接続する。
【００３２】
次に、上段端子部３１ａ、３１ｂ、３１ｃに、電力量計からの受電電線８１ａ、８１ｂ、８１ｃを端子ネジ１０によりそれぞれ螺着固定する。端子台１Ｔへの電線の接続はこれで完了する。
【００３３】
（取付状態）
端子台取付具１２に端子台１Ｔを取り付けた状態においては、下段絶縁壁４２ａ、４２ｂに凹状に設けられた取付部に、取付ネジ１１が嵌まり込む。このとき、下段絶縁壁上面から所定の深さの空間部が設けられているため、図４に示すように、取付ネジ１１のネジ頭が取付部５から突出しない。換言すれば、下段絶縁壁の上面から取付ネジ１１のネジ頭の間に空間部５１を有することにより、施工後、受電電線８１ｂ、８１ｃの導電部と取付ネジ１１との接触を防止して、且つ、絶縁距離を確保できるため、不要な短絡や地絡自己を防止できるため安全である。
【００３４】
また、左極受電電線８１ａは左側外壁４３ａの上面によって、中極受電電線８１ｂは左−中極下段絶縁壁４２ａの上面によって、右極受電電線８１ｃは中−右極下段絶縁壁４２ｂの上面によってそれぞれ取付台側への変位が規制されるよう支持される。即ち、受電電線８１ａ、８１ｂ、８１ｃが下方向へ曲げられることを抑止される効果が得られる。
【００３５】
さらに、左−中極下段絶縁壁４２ａの上面４２ａ１に設けられた凹部４２ａ２により、図５に示すように、左−中極下段絶縁壁４２ａは中極受電電線８１ｂの左右方向への変位を抑制する台座のような役割を持つ。即ち、中極受電電線８１ｂは左右方向への変位を抑制される効果が得られ、左−中極下段絶縁壁４２ａの支持力がより確実なものとなる。
【００３６】
中−右極下段絶縁壁４２ｂについても同様に，上面４２ｂ１に設けられた凹部４２ｂ２により、右極受電電線８１ｃの左右方向への変位を抑制する台座のような役割をもち、右極受電電線８１ｃは左右方向への変位を抑制される効果が得られ、中−右極下段絶縁壁４２ｂの支持力がより確実なものとなる。
【符号の説明】
【００３７】
１Ｔ        端子台
２        端子台ベース
３ａ      左極端子体
３１ａ    左極上段端子部
３１１ａ  左極上段固定孔
３２ａ    左極下段端子部
３２１ａ  左極下段固定孔
３３ａ    左極端子接続部
３ｂ      中極端子体
３１ｂ    中極上段端子部
３１１ｂ  中極上段固定孔
３２ｂ    中極下段端子部
３２１ｂ  中極下段固定孔
３３ｂ    中極端子接続部
３ｃ      右極端子体
３１ｃ    右極上段端子部
３１１ｃ  右極上段固定孔
３２ｃ    右極下段端子部
３２１ｃ  右極下段固定孔
３３ｃ    右極端子接続部
４１ａ    左−中極上段絶縁壁
４１ｂ    中−右極上段絶縁壁
４２ａ    左−中極下段絶縁壁
４２ｂ    中−右極下段絶縁壁
４３ａ    左側外壁
４３ｂ    右側外壁
４４ａ    左−中極下段絶縁壁上面
４４ｂ    中−右極下段絶縁壁上面
４５ａ    左−中極凹部
４５ｂ    中−右極凹部
５        取付部
５１      空間部
６ａ      ブレーカ上側接続部
６ｂ      ブレーカ下側接続部
７        二次側絶縁壁
８１ａ    左極受電電線
８１ｂ    中極受電電線
８１ｃ    右極受電電線
８２ａ    左極送電電線
８２ｂ    中極送電電線
８２ｃ    右極送電電線
１０      端子ネジ
１１      取付ネジ
１２      端子台取付具
１３      住宅用分電盤
１４      主幹ブレーカ
【図１】
2015069939.tif 000003
【図２】
2015069939.tif 000004
【図３】
2015069939.tif 000005
【図４】
2015069939.tif 000006
【図５】
2015069939.tif 000007
【図６】
2015069939.tif 000008